(57)【要約】【課題】曲率の大きい治療部位にパッドを貼り付ける場合であっても、パッドをより確実に治療部位に密着させて貼り付けることを目的とする。【解決手段】パッド３０に設けられた複数の電極に対してそれぞれ接離可能に設けられた接続端子部４２ａ，４２ｂ，４２ｃと、接続端子部４２ａ，４２ｂ，４２ｃそれぞれに接続され低周波治療器本体とパッド３０とを電気的に接続するリード線４３ａ，４３ｂ，４３ｃと、弾性材で構成され接続端子部４２ａ，４２ｂ，４２ｃ間を連結する連結部４４と、を備え、接続端子部４２ａ，４２ｂ，４２ｃは、それぞれ独立して設けられており、連結部４４により連結されることにより、１つの接続端子部群を構成する。【選択図】図１
2008036210.tif 000002
【特許請求の範囲】
【請求項１】
パッドに設けられた複数の電極に対してそれぞれ接離可能に設けられた複数の接続端子部と、
前記複数の接続端子部それぞれに接続され、低周波治療器本体と前記パッドとを電気的に接続する複数のリード線と、
弾性材で構成され、接続端子部間を連結する連結部と、
を備えた低周波治療器用導子コードであって、
前記複数の接続端子部は、それぞれ独立して設けられており、前記連結部により連結されることにより、１つの接続端子部群を構成することを特徴とする低周波治療器用導子コード。
【請求項２】
前記連結部は、接続端子部間に湾曲形状を有していることを特徴とする請求項１に記載の低周波治療器用導子コード。
【請求項３】
前記連結部は、前記複数の接続端子部が前記パッドに設けられた複数の電極に接続された状態で、前記連結部と前記パッドとの間に使用者が指を挿入して前記パッドを保持することができるように湾曲して設けられていることを特徴とする請求項２に記載の低周波治療器用導子コード。
【請求項４】
前記連結部は、前記複数の接続端子部が前記パッドに設けられた複数の電極に接続された状態で、使用者が指と指との間で挟んで前記パッドを保持することができるように湾曲して設けられていることを特徴とする請求項２に記載の低周波治療器用導子コード。
【請求項５】
前記複数のリード線を、低周波治療器本体側から前記接続端子部群近傍まで束ねる結束手段を備え、
前記複数のリード線は、前記接続端子部群近傍で１本ずつに分岐して、前記複数の接続端子部それぞれに接続することを特徴とする請求項１乃至４のいずれか１項に記載の低周波治療器用導子コード。
【請求項６】
前記複数のリード線を、低周波治療器本体側から前記接続端子部群まで束ねる結束手段を備え、
前記結束手段により前記接続端子部群まで束ねられた前記複数のリード線は、前記連結部内部を通ってそれぞれ対応する接続端子部に接続するように設けられていることを特徴とする請求項１乃至４のいずれか１項に記載の低周波治療器用導子コード。
【請求項７】
前記複数の接続端子部には、前記パッドに設けられた複数の電極に接続する側とは反対側に指で保持可能に突出した突起が設けられていることを特徴とする請求項１乃至６のいずれか１項に記載の低周波治療器用導子コード。
【請求項８】
前記複数の接続端子部は、列をなして１つの接続端子部群を構成していることを特徴とする請求項１乃至７のいずれか１項に記載の低周波治療器用導子コード。
【請求項９】
前記結束手段により束ねられた前記複数のリード線が前記接続端子部群に向かう方向は、列をなして構成される前記接続端子部群の整列方向に対して直角となるように設けられていることを特徴とする請求項８に記載の低周波治療器用導子コード。
【請求項１０】
前記複数の接続端子部のうち少なくとも１つの接続端子部は、前記連結部に対して移動可能に設けられていることを特徴とする請求項１乃至９のいずれか１項に記載の低周波治療器用導子コード。
【請求項１１】
請求項１乃至１０のいずれか１項に記載の低周波治療器用導子コードが取り付けられた電極パッドであって、
基材シート上に設けられ、前記複数の接続端子部に接続された電極をそれぞれ構成する複数の導電性電極層と、
ゲル状の材料によって一体に構成され、前記基材シート上で前記複数の導電性電極層を覆うように設けられ、治療部位に貼り付けるための粘着面を有するゲル層と、
を備えることを特徴とする電極パッド。
【発明の詳細な説明】
【技術分野】
【０００１】
本発明は、低周波治療器用導子コード及びこれが取り付けられた電極パッドに関するものである。
【背景技術】
【０００２】
従来、低周波治療器用導子コード及びこれが取り付けられた電極パッドに関しては、次に示すようなものが知られている。
【０００３】
すなわち、急な曲面を有する部位に対しても、粘着パッドを介して容易に貼り付けることができるように、１枚の粘着パッドの導電性部を２分割した粘着パッドを接続するための一対の接続端子を一面に設けるとともに、一面に設けた一対の接続端子の間には溝部を設け、一対の接続端子を互いの軸線が傾斜するように配置し、少なくとも溝部周辺を撓み易い材料を用いて形成していることを特徴とする導子コードが知られている（特許文献１参照）。
【特許文献１】特開２００２−１９１７０４号公報
【発明の開示】
【発明が解決しようとする課題】
【０００４】
しかしながら、このような従来の技術にあっては、撓み易い材料や、一対の接続端子の間に溝部を設けたり、一対の接続端子を互いの軸線が傾斜するように配置しているとしても、急な曲面を有する部位に粘着パッドを貼り付けるには曲面への対応力に限度がある。さらに、導電性部が３分割以上に分割されている粘着パッドでは、導子コードと粘着パッドとの接続部が大きくなり急な曲面を有する部位に貼り付けることが更に難しくなる。
【０００５】
このような粘着パッドを手首などの曲率の大きい治療部位に貼り付けた場合には、粘着パッドの端が浮き上がってしまい、粘着パッドを曲率の大きい治療部位に密着させて貼り付けることは困難であった。
【０００６】
本発明は上記したような事情に鑑みてなされたものであり、曲率の大きい治療部位にパッドを貼り付ける場合であっても、パッドをより確実に治療部位に密着させて貼り付けることを目的とする。
【課題を解決するための手段】
【０００７】
本発明は、上記課題を解決するために以下の手段を採用した。
【０００８】
すなわち、本発明に係る低周波治療器用導子コードは、
パッドに設けられた複数の電極に対してそれぞれ接離可能に設けられた複数の接続端子部と、
前記複数の接続端子部それぞれに接続され、低周波治療器本体と前記パッドとを電気的に接続する複数のリード線と、
弾性材で構成され、接続端子部間を連結する連結部と、
を備えた低周波治療器用導子コードであって、
前記複数の接続端子部は、それぞれ独立して設けられており、前記連結部により連結されることにより、１つの接続端子部群を構成することを特徴とする。
【０００９】
このように、それぞれ独立して設けられた複数の接続端子部を、連結部により連結してつなげることで１つの接続端子部群を構成することにより、接続端子部間の柔軟性を向上
させることができる。これにより、本発明に係る低周波治療器用導子コードが接続された（取り付けられた）パッドにおいても、従来のように導子コードに動きを規制されることなく柔軟性を保持させることができる。
【００１０】
したがって、本発明に係る低周波治療器用導子コードが接続されたパッドを、手首などの曲率の大きい治療部位に貼り付けた場合であっても、パッドの端が浮き上がってしまうようなことはなく、パッドをより確実に治療部位に密着させて貼り付けることができる。
【００１１】
また、前記連結部は、接続端子部間に湾曲形状を有しているとよい。
【００１２】
このように連結部を湾曲形状とすることにより、より大きな伸縮性と柔軟性を連結部に持たせることができる。これにより、本発明に係る低周波治療器用導子コードが接続されたパッドを、手首などの曲率の大きい治療部位に貼り付ける場合であっても、連結部はパッドの動きを規制することなく、パッドの動きにしたがって柔軟に変形することができる。
【００１３】
ここで、連結部は、外力が加わっていない（作用していない）自然状態で、接続端子部間に湾曲形状を有しているとよいが、曲率の大きい治療部位に貼り付けられる前（屈曲される前）のパッドに対して複数の接続端子部が接続された状態において、接続端子部間の連結部が湾曲形状を有するものであってもよい。すなわち、パッドの屈曲動作を妨げることなく、またパッドが曲率の大きい治療部位に貼り付けられた（屈曲された）状態においても、パッドに加わる外力がより低減するような形状として、連結部は湾曲形状を有している。
【００１４】
また、前記連結部は、前記複数の接続端子部が前記パッドに設けられた複数の電極に接続された状態で、前記連結部と前記パッドとの間に使用者が指を挿入して前記パッドを保持することができるように湾曲して設けられているとよい。
【００１５】
このように構成することにより、本発明に係る低周波治療器用導子コードが接続されたパッドを治療部位に貼り付ける際の貼り付け作業性を向上させることができる。さらに、電極間に設けられた連結部に使用者の指（指先）が位置することとなるので、所望の治療部位に、より確実にパッドを貼り付けることができる。
【００１６】
また、前記連結部は、前記複数の接続端子部が前記パッドに設けられた複数の電極に接続された状態で、使用者が指と指との間で挟んで前記パッドを保持することができるように湾曲して設けられているとよい。
【００１７】
このように構成することにより、本発明に係る低周波治療器用導子コードが接続されたパッドを治療部位に貼り付ける際の貼り付け作業性を向上させることができる。電極間に設けられた連結部を使用者が指の間で挟むことができるので、パッドを取り扱う際の利便性をより向上させることができ、かつ、所望の治療部位に、より確実にパッドを貼り付けることができる。
【００１８】
また、前記複数のリード線を、低周波治療器本体側から前記接続端子部群近傍まで束ねる結束手段を備え、
前記複数のリード線は、前記接続端子部群近傍で１本ずつに分岐して、前記複数の接続端子部それぞれに接続するとよい。
【００１９】
このように構成することにより、複数のリード線を１つにまとめることができるので、複数のリード線がからまってしまうようなこともなく、低周波治療器の取り扱いをより良
好にすることができる。そして、接続端子部群近傍で１本ずつに分岐して、複数の接続端子部それぞれに接続するため、リード線が接続端子部の動きを規制するようなことはない。すなわち、本発明に係る低周波治療器用導子コードが接続されたパッドが、手首などの曲率の大きい治療部位に貼り付けられる場合であっても、リード線がパッドの動きを規制するようなことはない。
【００２０】
また、前記複数のリード線を、低周波治療器本体側から前記接続端子部群まで束ねる結束手段を備え、
前記結束手段により前記接続端子部群まで束ねられた前記複数のリード線は、前記連結部内部を通ってそれぞれ対応する接続端子部に接続するように設けられているとよい。
【００２１】
このように構成することにより、複数のリード線を１つにまとめることができるので、複数のリード線がからまってしまうようなこともなく、低周波治療器の取り扱いをより良好にすることができる。そして、結束手段により接続端子部群まで束ねられた複数のリード線は、連結部内部を通ってそれぞれ対応する接続端子部に接続するので、複数のリード線が指に絡まってしまうような可能性もなく、低周波治療器を取り扱う際の利便性、取り扱い性をより向上させることができる。
【００２２】
なお、リード線が連結部内部を通るとは、リード線の外周が連結部に完全に覆われている（包み込まれている）状態に限るものではなく、リード線の外周のうち少なくとも一部が連結部に覆われている状態であってもよい。
【００２３】
また、前記複数の接続端子部には、前記パッドに設けられた複数の電極に接続する側とは反対側に指で保持可能に突出した突起が設けられているとよい。
【００２４】
このように構成することにより、導子コードを取り扱う場合に、使用者は突起を把持することができるので、導子コードを取り扱う際の利便性、取り扱い性をより向上させることができる。また、導子コードとパッドとの接続部に突起（把持部）が設けられているので、導子コードをパッドに取り付ける際の取付作業性をより向上させることができる。さらには、本発明に係る低周波治療器用導子コードが接続されたパッドを治療部位に貼り付ける際の貼り付け作業を、より行い易くすることができる。
【００２５】
また、前記複数の接続端子部は、列をなして１つの接続端子部群を構成しているとよい。
【００２６】
そして、前記結束手段により束ねられた前記複数のリード線が前記接続端子部群に向かう方向は、列をなして構成される前記接続端子部群の整列方向に対して直角となるように設けられているとよい。
【００２７】
このように構成することにより、本発明に係る低周波治療器用導子コードが接続されたパッドを治療部位に貼り付ける際の貼り付け作業を、より行い易くすることができる。
【００２８】
また、前記複数の接続端子部のうち少なくとも１つの接続端子部は、前記連結部に対して移動可能に設けられているとよい。
【００２９】
このように構成することにより、本発明に係る低周波治療器用導子コードが接続されたパッドを、手首などの曲率の大きい治療部位に貼り付けた場合であっても、連結部の柔軟性に加えて、接続端子部が連結部に対して移動できるので、パッドをより確実に治療部位に密着させて貼り付けることができる。
【００３０】
また、本発明に係る電極パッドは、上記記載の低周波治療器用導子コードが取り付けられたパッドであって、
基材シート上に設けられ、前記複数の接続端子部に接続された電極をそれぞれ構成する複数の導電性電極層と、
ゲル状の材料によって一体に構成され、前記基材シート上で前記複数の導電性電極層を覆うように設けられ、治療部位に貼り付けるための粘着面を有するゲル層と、
を備えることを特徴とする。
【００３１】
このように構成することにより、治療部位に対する粘着領域を、より大きく確保することができるので、治療部位に対するパッドの粘着力をより大きくすることができる。したがって、本発明に係る電極パッドを、手首などの曲率の大きい治療部位に貼り付けた場合であっても、パッドの端が浮き上がってしまうようなことはなく、パッドをより確実に治療部位に密着させて貼り付けることができる。
【００３２】
また、基材シート上にゲル層を一体に設けることで、導電性電極層ごとにゲル層を設ける必要が無くなり、ゲル層の生成を簡易化することができる。さらに、ゲル層を導電性電極層ごとに設ける（分離生成する）必要が無いので、導電性電極層の形状を複雑にすることもできる。すなわち、導電性電極層の形状を低周波治療器の仕様に応じて適宜設定することができる。
【００３３】
また、基材シート上にゲル層を一体に設けることにより、治療部位に対する粘着部分が基材シート全体に広がるため、電極パッド本体の剛性を略均一にすることができる。このため、電極パッド本体を曲げた場合でも、折れ曲がり易い部分が無くなる。したがって、パッドを治療部位に貼り付ける際に、パッドが折れ曲がって粘着面同士がくっついてしまう可能性をより低くすることができる。
【００３４】
なお、上記各構成は、可能な限り組み合わせて採用し得る。
【発明の効果】
【００３５】
以上説明したように、本発明によれば、曲率の大きい治療部位にパッドを貼り付ける場合であっても、パッドをより確実に治療部位に密着させて貼り付けることが可能となる。
【発明を実施するための最良の形態】
【００３６】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００３７】
（実施例１）
以下、本発明の実施例１に係る低周波治療器用導子コード及び電極パッドについて説明する。
【００３８】
まず、本発明の実施例１に係る低周波治療器用導子コード及び電極パッドが適用される低周波治療器について説明する。
【００３９】
図１０は、本発明の実施例１において低周波治療器１０の外観を模式的に示す斜視図である。
【００４０】
低周波治療器１０は、概略、治療器本体２０と、治療部位に貼り付けるための一対のパッド３０と、治療器本体２０とパッド３０とを電気的に接続するためのコード４０とから
構成される。ここで、パッド３０は本発明に係る電極パッドを構成しており、コード４０は本発明に係る低周波治療器用導子コードを構成している。
【００４１】
治療器本体２０は、電源や各種の設定等を行うために設けられた複数のボタン２１や、設定内容や治療時間を表示するための表示部２２を備えている。治療器本体自体に関しては、公知技術を含めた各種の技術を適用すればよいので、詳細説明は省略する。
【００４２】
パッド３０は、本発明の実施例１に係る電極パッドを構成するものであって、薄くかつ柔軟性の高い部材により構成されており、一方の面は、ゲル状の導電性の材料によって構成され、粘着性を有している。
【００４３】
コード４０は、本発明の実施例１に係る低周波治療器用導子コードを構成するものであって、一端に治療器本体２０に接続するためのプラグ４１が設けられており、他端にはパッド３０に接続するための接続端子部４２が設けられている。
【００４４】
次に、パッド３０及びコード４０についてさらに詳細に説明する。
【００４５】
図１は、本発明の実施例１においてパッド３０及びコード４０を模式的に示す斜視図である。図２は、本発明の実施例１においてパッド３０及びコード４０を模式的に示す平面図である。図３は、図２に示すＡ−Ａ断面を模式的に示す図である。図４は、図３に示すＢ部の拡大図である。
【００４６】
以下、コード４０について説明する。
【００４７】
本実施例に係るコード４０は、３つのリード線４３ａ，４３ｂ，４３ｃにより構成されており、パッド３０側の端部には、パッド３０に電気的に接続するために、３つのリード線４３ａ，４３ｂ，４３ｃにそれぞれ接続された同じ数の接続端子部である３つの接続端子部４２ａ，４２ｂ，４２ｃが設けられている。
【００４８】
３つの接続端子部４２ａ，４２ｂ，４２ｃは、それぞれ独立して（他の接続端子部とは分離して）設けられ、接続端子部４２ａ，４２ｂ間、及び、接続端子部４２ｂ，４２ｃ間が連結部４４により連結されることにより、接続端子部群として列をなして（一列に、直列的に、一線に並ぶように）設けられている。図においては、３つの接続端子部４２ａ，４２ｂ，４２ｃは、略直線状に列をなして設けられているが、これに限らず、例えば湾曲状に設けられるものであってもよい。
【００４９】
連結部４４は、弾性材としてエラストマで構成されている。そして、図に示すように、帯状（細長い形状、略平板状）の部材を湾曲させた形状に形成されている。本実施例においては、１つの部材により構成された連結部４４により、接続端子部４２ａ，４２ｂ間、及び、接続端子部４２ｂ，４２ｃ間を連結しているが、これに限るものではなく、複数の部材により構成される連結部（又は２つの連結部）によって接続端子部４２ａ，４２ｂ間、及び、接続端子部４２ｂ，４２ｃ間をそれぞれ独立して連結するものであってもよい。
【００５０】
３つのリード線４３ａ，４３ｂ，４３ｃは、プラグ４１から、接続端子部４２ａ，４２ｂ，４２ｃ近傍まで、結束手段により束となって１本にまとめられており、接続端子部４２ａ，４２ｂ，４２ｃ近傍に設けられた分岐部４５で分岐することにより、１本ずつ接続端子部４２ａ，４２ｂ，４２ｃにそれぞれ接続している。
【００５１】
結束手段としては、複数のリード線をひとまとめにできるものであれば、特に限定されるものではない。例えば、成形により複数のリード線を１本のコードにするものであって
もよいし、粘着テープ、樹脂材等の結束可能な部材を複数のリード線に巻きつけることにより束ねるものであってもよい。
【００５２】
また、３つの接続端子部４２ａ，４２ｂ，４２ｃには、それぞれ、パッド３０に機械的・電気的に接続するための凹型のスナップ４６ａ，４６ｂ，４６ｃが設けられている。
【００５３】
次に、本発明の実施例１に係るパッド３０について説明する。
【００５４】
図５は本発明の実施例１においてパッド３０を模式的に示す斜視図である。
【００５５】
本実施例に係るパッド３０は、図４に示すように、生体表面の治療部位に貼り付けられる粘着面３１を有するゲル層としてのゲル３２と、導電性電極層としての導電性カーボン層３３ｃと、導電性カーボン層３３ｃが形成される基材シート３４と、が粘着面３１側から接続端子部４２ｃ側に向かって順に層をなして設けられている。
【００５６】
そして、接続端子部４２ｃと接続する部分においては、接続端子部４２ｃの凹型のスナップ４６ｃに接続するための凸型のスナップ３５ｃが設けられている。スナップ３５ｃは、導電性カーボン層３３ｃが形成された基材シート３４の両側から取り付けられる（かしめられる）ものであって、ゲル３２は、基材シート３４にスナップ３５ｃが取り付けられた後で設けられることとなる。
【００５７】
図４を用いた以上の説明は、パッド３０のうち、コード４０の接続端子部４２ｃに対応した部分について説明したものであるが、パッド３０のうち、接続端子部４２ａ，４２ｂに対応した部分においても、導電性カーボン層とスナップ以外、すなわち、ゲル３２と基材シート３４については同一のもので構成している。これに対して、導電性カーボン層とスナップにおいては、接続端子部４２ａ，４２ｂそれぞれに対応して、導電性カーボン層３３ａ，スナップ３５ａと、導電性カーボン層３３ｂ，スナップ３５ｂとが設けられている。
【００５８】
図６は、本発明の実施例１においてパッド３０を粘着面３１側から見た図を模式的に示したものである。なお、図６では、説明の便宜上、導電性カーボン層３３ａ，３３ｂ，３３ｃに相当する領域にハッチング（斜線）を施している。
【００５９】
このように、本実施例に係るパッド３０においては、１枚の基材シート３４に形成された導電性カーボン層は、コード４０に設けられた３つの接続端子部４２ａ，４２ｂ，４２ｃにそれぞれ対応するように、３つの導電性カーボン層３３ａ，３３ｂ，３３ｃに分割して設けられている。
【００６０】
そして、この３つの導電性カーボン層３３ａ，３３ｂ，３３ｃ上に、基材シート３４の外形に略倣った形状を有する一体の（１つの）ゲル３２が設けられている。
【００６１】
上述したように、本実施例によれば、それぞれ独立して設けられた複数の接続端子部４２ａ，４２ｂ，４２ｃを、連結部４４により連結してつなげることで１つの接続端子部群を構成することにより、接続端子部４２ａ，４２ｂ，４２ｃそれぞれの間の柔軟性を向上させることができる。これにより、コード４０が接続されたパッド３０においても、従来のように導子コードに動きを規制されることなく柔軟性を保持させることができる。
【００６２】
したがって、パッド３０を、手首などの曲率の大きい治療部位に貼り付けた場合であっても、パッド３０の端が浮き上がってしまうようなことはなく、パッド３０をより確実に治療部位に密着させて貼り付けることができる。
【００６３】
また、３つの導電性カーボン層３３ａ，３３ｂ，３３ｃ上に設けたゲル３２を一体としているので、治療部位に対する粘着領域を、より大きく確保することができるので、治療部位に対するパッド３０の粘着力をより大きくすることができる。
【００６４】
また、一体のゲル３２とすることで、導電性カーボン層ごとにゲルを設ける必要が無くなり、ゲルの生成を簡易化することができる。さらに、ゲルを導電性カーボン層ごとに設ける必要が無いので、導電性カーボン層の形状を適宜複雑にすることもできる。
【００６５】
また、一体のゲル３２を設けることにより、治療部位に対する粘着部分が基材シート全体に広がるため、パッド３０本体の剛性を略均一にすることができる。このため、パッド３０本体を曲げた場合でも、折れ曲がり易い部分が無くなる。したがって、パッド３０を治療部位に貼り付ける際に、パッド３０が折れ曲がって粘着面同士がくっついてしまう可能性をより低くすることができる。
【００６６】
なお、図６に示す導電性カーボン層３３ａ，３３ｂ，３３ｃにおいては、接続端子部４２ａ，４２ｂ，４２ｃにそれぞれ対応するように並んで、略平行に設けられているが、導電性カーボン層３３ａ，３３ｂ，３３ｃの配設位置は、これに限るものではない。ここで、導電性カーボン層３３ａ，３３ｂ，３３ｃの配設位置についての変形例を説明する。
【００６７】
図７〜９は、導電性カーボン層３３ａ，３３ｂ，３３ｃの配置について変形例を説明するための図である。
【００６８】
図７では、３つの導電性カーボン層３３ａ，３３ｂ，３３ｃを略同心円状に設けた例を示している。すなわち、図７では、３つの導電性カーボン層３３ａ，３３ｂ，３３ｃがそれぞれ、基材シート３４上のうち中央領域、中央領域の外周の第１外周領域、第１外周領域のさらに外周となる第２外周領域、の３つの領域に分割されて設けられている例を示している。
【００６９】
図８，９に示す例では、基材シート３４上のうち、中央領域と、外周領域との２つの領域に分割し、図８に示す例では、外周領域をさらに２つの領域に分割しており、図９に示す例では、中央領域をさらに２つの領域に分割している。
【００７０】
すなわち、図８では、３つの導電性カーボン層３３ａ，３３ｂ，３３ｃがそれぞれ、基材シート３４上のうち、一端側の外周領域、中央領域、他端側の外周領域、の３つの領域に分割されて設けられている例を示している。
【００７１】
また、図９では、３つの導電性カーボン層３３ａ，３３ｂ，３３ｃがそれぞれ、基材シート３４上のうち、外周領域、一端側の中央領域、他端側の中央領域、の３つの領域に分割されて設けられている例を示している。
【００７２】
これら図７〜９に示す導電性カーボン層の配置は、３つの導電性カーボン層３３ａ，３３ｂ，３３ｃが設けられた場合についての一例を示すものであって、導電性カーボン層の配置はこれらに限定されるものではない。導電性カーボン層の配置は、低周波治療器の仕様に応じて適宜設定することができる。
【００７３】
このように、配置することにより、電極に通電する領域を適宜変更することができるので、パッド３０が貼り付けられている生体の治療部位を変更することができ、より効果的な治療を行うことができる。
【００７４】
なお、連結部においても、上述した実施例１に示した連結部４４は一例に過ぎず、本実施例に限定されるものではない。
【００７５】
以下に、実施例２〜８として、連結部についての変形例を示す。ここで、これらの実施例の連結部は、特に特定的な記載がない限りは、弾性材としてエラストマで構成されるのが好ましい。また、結束手段においては、実施例１のような分岐部４５が設けられることなく、接続端子部群まで３つのリード線４３ａ，４３ｂ，４３ｃを束ねた状態（３つのリード線を束ねた１つのコードが連結部に接続している状態）を示している。なお、上述した実施例１の低周波治療器１０と基本的な構成は同様であるため、その説明は省略する。また、パッド３０と接続端子部４２ａ，４２ｂ，４２ｃにおいては、その機能や接続部分は同様であるため、同一の符号を用いることとする。
【００７６】
（実施例２）
以下、本発明の実施例２について説明する。
【００７７】
図１１は、本発明の実施例２においてコード５０を模式的に示す斜視図である。図１２は、本発明の実施例２においてパッド３０及びコード５０を模式的に示す側面図であり、コード５０が取り付けられたパッド３０を曲率の大きい治療部位（斜線部Ｃで示している）に貼り付けた状態を示している。
【００７８】
本実施例の連結部５１は、帯状に設けられている。そして、本実施例では、連結部の柔軟性、伸縮性をより大きくする手段として、連結部５１に溝５２を設けている。
【００７９】
溝の形状としては、特に限定されるものではないが、本実施例では、図１１に示すように、接続端子部間を結ぶ仮想線に対して略直交する方向に延びる溝５２としている。溝５２は、連結部５１のうち屈曲（変形）する度合いが大きい部分に設けられると好ましく、本実施例では、帯状の連結部５１の両面側、すなわち、接続端子部間の略中央部のパッド３０が取り付けられる側とは反対側と、接続端子部近傍のパッド３０が取り付けられる側とにそれぞれ設けられている。
【００８０】
（実施例３）
以下、本発明の実施例３について説明する。
【００８１】
図１３は、本発明の実施例３においてコード６０を模式的に示す斜視図である。図１４は、本発明の実施例３においてパッド３０及びコード６０を模式的に示す側面図である。
【００８２】
本実施例の連結部６１においても、上述した実施例２の連結部５１同様、帯状に設けられており、連結部の柔軟性、伸縮性をより大きくする手段を採用している。そして、本実施例においては、連結部間の柔軟性、伸縮性をより大きくする手段として、図に示すように、連結部６１を蛇腹状としている。なお、蛇腹状の部分は、接続端子部間の少なくとも一部に設けられていればよい。
【００８３】
（実施例４）
以下、本発明の実施例４について説明する。
【００８４】
図１５は、本発明の実施例４においてコード７０を模式的に示す斜視図である。
【００８５】
本発明の実施例４の連結部７１では、上述した実施例３と同様に蛇腹状の部分を設けている。さらに、本実施例においては、接続端子部４２ａ，４２ｂ，４２ｃにおいてパッド３０が取り付けられる側とは反対側に、それぞれ突起７２を設けている。
【００８６】
本実施例においては、このような突起７２を設けたことにより、コード７０を取り扱う場合に、使用者は突起７２を指と指との間で挟むことにより保持することができるので、コード７０を取り扱う際の利便性、取り扱い性をより向上させることができる。また、コード７０とパッド３０との接続部分に突起７２が設けられているので、コード７０をパッド３０に取り付ける際の取付作業性をより向上させることができる。さらには、パッド３０を治療部位に貼り付ける際の貼り付け作業を、より行い易くすることができる。
【００８７】
（実施例５）
以下、本発明の実施例５について説明する。
【００８８】
図１６は、本発明の実施例５においてコード８０を模式的に示す斜視図である。図１７は、本発明の実施例５においてパッド３０及びコード８０を模式的に示す側面図である。
【００８９】
本実施例の連結部８１においては、上述した実施例３，４の連結部５１，６１同様に、連結部の柔軟性、伸縮性をより大きくする手段として蛇腹状の形状を採用しているが、実施例３，４の連結部５１，６１は、帯状だったのに対して、本実施例では、棒状の部材（断面形状において縦横の長さがあまりかわらない部材）を蛇腹状としたものを採用している。なお、蛇腹状の部分は、接続端子部間の少なくとも一部に設けられていればよい。
【００９０】
ここで、実施例３，４の連結部５１，６１では、蛇腹状が、コードが取り付けられたパッド３０の基板シート３４のシート面に対して略直交する方向（図１４に示す矢印Ｄ方向、パッド３０に取り付けられる側とその反対側との間）で、凹凸を繰り返すように設けられていたが、本実施例では、基板シート３４のシート面内で凹凸を繰り返すように設けられている。
【００９１】
また本実施例においては、接続端子部４２ａ，４２ｂ，４２ｃにおいてパッド３０が取り付けられる側とは反対側に、それぞれ突起８２を設けている。この突起８２は実施例４の突起７２と同様である。
【００９２】
図１８は、本実施例の蛇腹状に対する変形例を模式的に示す図である。
【００９３】
基板シート３４のシート面内で凹凸を繰り返すように設けられた連結部８１の蛇腹状としては、図１８に示すような形状であってもよい。
【００９４】
（実施例６）
以下、本発明の実施例６について説明する。
【００９５】
図１９は、本発明の実施例６においてコード９０を模式的に示す斜視図である。図２０は、本発明の実施例６においてパッド３０及びコード９０を模式的に示す側面図である。
【００９６】
また本実施例においては、接続端子部４２ａ，４２ｂ，４２ｃにおいてパッド３０が取り付けられる側とは反対側に、それぞれ突起９３を設けている。この突起９３は実施例４の突起７２と同様である。
【００９７】
本発明の実施例６においては、連結部９１は、平板状のものに溝９２を設けた形状としている。本実施例では、自然状態においては湾曲状とはしておらず、連結部９１のうち、パッド３０が取り付けられる側とは反対側のみに溝を設けている。
【００９８】
溝９２の形状としては、特に限定されるものではないが、実施例２同様、接続端子部間
を結ぶ仮想線に対して略直交する方向に延びる溝としている。
【００９９】
このように連結部９１を設けることにより、パッド３０に沿って柔軟に変形することができるコード９０を構成することが可能となる。
【０１００】
（実施例７）
以下、本発明の実施例７について説明する。
【０１０１】
図２１は、本発明の実施例７においてコード１００を模式的に示す平面図である。図２２は、本発明の実施例７においてパッド３０及びコード１００を模式的に示す側面図である。図２３は、本発明の実施例７においてコード１００をパッド３０との接続部側から見た図を模式的に示したものであり、コード１００に取り付けられたパッド３０、及び、パッド３０に設けられた３つの導電性カーボン層３３ａ，３３ｂ，３３ｃは、破線で示している。
【０１０２】
本発明の実施例７においては、上述した実施例２〜６に対して、リード線が接続端子部群に接続される位置や、接続端子部群に対するリード線の接続方向が異なっている。
【０１０３】
上述した実施例では、１列に設けられた接続端子部群のうち端部の接続端子部に接続しており、この接続部のリード線の接続方向が、接続端子部群の整列方向（接続端子部間を結ぶ方向）と略同じ方向となるように設けられていた。
【０１０４】
これに対して、本実施例では、１列に設けられた接続端子部群のうち真中に位置する接続端子部に接続しており、リード線は、この接続端子部に交差するように、すなわち、この接続部のリード線の接続方向が、接続端子部群の整列方向と略直交する方向となるように設けられている。
【０１０５】
このような、接続端子部群に対するリード線の接続方向が異なる２方式のコードは、低周波治療器の仕様に応じて適宜選択されて適用されるとよい。また、１台の低周波治療器に対して、両方式のコードが適用され、治療部位に応じて適宜選択されるものであってもよい。
【０１０６】
本実施例の連結部１０１は、帯状であって、湾曲形状に設けられており、コード１００がパッド３０に取り付けられた場合には、連結部１０１とパッド３０との間に隙間１０２が形成されるように構成されている。
【０１０７】
図２４，２５は、使用者がパッド３０を手で保持した状態を模式的に示す図である。
【０１０８】
図２４に示すように、使用者は、連結部１０１とパッド３０との間の隙間１０２に指を挿入することにより、パッド３０を保持することができる。また、隙間１０２を使用者の指が挿入可能な大きさとしておくことにより、図２５に示すように、１列に設けられた接続端子部群を指の間に挟むことも容易に可能となる。また隙間１０２を使用者の指が挿入可能な大きさまで大きくすることなく、指と指との間に連結部１０１を挟むことができる大きさにしておいても良い。
【０１０９】
本実施例によれば、使用者がパッド３０を手に持つ場合に、手でパッド３０をつかむような動作をすることなく、連結部に指を挿入したり、指の間で連結部を挟んだ状態で、パッド３０を治療部位に貼り付けることができる。したがって、パッド３０を取り扱う際の利便性を向上させることができ、パッド３０を治療部位に貼り付ける際の貼り付け作業性を向上させることができる。
【０１１０】
さらに、導電性カーボン層３３ａ，３３ｂ，３３ｃ間に相当する位置にそれぞれ設けられた連結部に使用者の指（指先）が位置することとなるので、所望の治療部位に、より確実にパッド３０を貼り付けることができる。
【０１１１】
（実施例８）
以下、本発明の実施例８について説明する。
【０１１２】
図２６は、本発明の実施例８においてコード１１０を模式的に示す平面図である。図２７は、本発明の実施例８においてパッド３０及びコード１１０を模式的に示す側面図である。
【０１１３】
本発明の実施例８においては、接続端子部４２ａ，４２ｃが連結部１１１に移動可能に横長の隙間１１２を用いて保持されていることを特徴とするものである。
【０１１４】
本実施例においては、接続端子部４２ａ，４２ｃは、接続端子部群の整列方向（図２６に示す矢印方向）に移動可能に設けられている。また、連結部１１１においては、図１９，２０を用いて説明した実施例６の溝９２と同様な溝が設けられている。
【０１１５】
移動可能に設けられた接続端子部４２ａ，４２ｃに接続しているリード線４３ａ，４３ｃは、接続端子部４２ａ，４２ｃの動きを妨げないように、移動可能に設けられている。ここで、リード線４３ａ，４３ｃは、連結部１１１の内部に設けられていると好ましいが、連結部１１１よりもパッド３０が取り付けられる側に設けられるものであってもよい。すなわち、コード１１０にパッド３０を取り付けた状態において、リード線４３ａ，４３ｃが使用者の貼り付け作業の作業性を低下させるものでなければよい。
【０１１６】
本実施例によれば、接続端子部４２ａ，４２ｃが連結部１１１に移動可能に保持されることにより、パッド３０が曲率の大きい治療部位に貼り付けられるような場合であっても、連結部１１１が変形することに加えて、接続端子部４２ａ，４２ｃがパッド３０の曲げ動作に合わせて移動することができる。したがって、パッド３０の動きに対して、コード１１０の動きを、より柔軟に対応させることができる。
【０１１７】
このように、本実施例では、連結部１１１の柔軟性だけでなく、接続端子部４２ａ，４２ｃが連結部１１１に対して移動することにより、パッド３０を手首などの曲率の大きい治療部位に貼り付けた場合であっても、パッド３０の端が浮き上がってしまうようなことはなく、パッド３０をより確実に治療部位に密着させて貼り付けることができる。これにより、連結部１１１を構成する弾性材の材質の適用範囲を広げることも可能となる。すなわち、本実施例では、連結部１１１を樹脂材等によって構成させることもできる。
【図面の簡単な説明】
【０１１８】
【図１】図１は本発明の実施例１においてパッド及びコードを模式的に示す斜視図である。
【図２】図２は本発明の実施例１においてパッド及びコードを模式的に示す平面図である。
【図３】図３は図２に示すＡ−Ａ断面を模式的に示す図である。
【図４】図４は図３に示すＢ部の拡大図である。
【図５】図５は本発明の実施例１においてパッドを模式的に示す斜視図である。
【図６】図６は本発明の実施例１においてパッドを粘着面側から見た図を模式的に示したものである。
【図７】図７は導電性カーボン層の配置について変形例を説明するための図である。
【図８】図８は導電性カーボン層の配置について変形例を説明するための図である。
【図９】図９は導電性カーボン層の配置について変形例を説明するための図である。
【図１０】図１０は本発明の実施例１において低周波治療器の外観を模式的に示す斜視図である。
【図１１】図１１は本発明の実施例２においてコードを模式的に示す斜視図である。
【図１２】図１２は本発明の実施例２においてパッド及びコードを模式的に示す側面図である。
【図１３】図１３は本発明の実施例３においてコードを模式的に示す斜視図である。
【図１４】図１４は本発明の実施例３においてパッド及びコードを模式的に示す側面図である。
【図１５】図１５は本発明の実施例４においてコードを模式的に示す斜視図である。
【図１６】図１６は本発明の実施例５においてコードを模式的に示す斜視図である。
【図１７】図１７は本発明の実施例５においてパッド及びコードを模式的に示す側面図である。
【図１８】図１８は本発明の実施例５において変形例を模式的に示す図である。
【図１９】図１９は本発明の実施例６においてコードを模式的に示す斜視図である。
【図２０】図２０は本発明の実施例６においてパッド及びコードを模式的に示す側面図である。
【図２１】図２１は本発明の実施例７においてコードを模式的に示す平面図である。
【図２２】図２２は本発明の実施例７においてパッド及びコードを模式的に示す側面図である。
【図２３】図２３は本発明の実施例７においてコードをパッドとの接続部側から見た図を模式的に示したものである。
【図２４】図２４は本発明の実施例７において使用者がパッドを手で保持した状態を模式的に示す図である。
【図２５】図２５は本発明の実施例７において使用者がパッドを手で保持した状態を模式的に示す図である。
【図２６】図２６は本発明の実施例８においてコードを模式的に示す平面図である。
【図２７】図２７は本発明の実施例８においてパッド及びコードを模式的に示す側面図である。
【符号の説明】
【０１１９】
１０  低周波治療器
２０  治療器本体
２１  ボタン
２２  表示部
３０  パッド
３１  粘着面
３２  ゲル
３３ａ，３３ｂ，３３ｃ  導電性カーボン層
３４  基材シート
４０，５０，６０，７０，８０，９０，１００，１１０  コード
４１  プラグ
４２（４２ａ，４２ｂ，４２ｃ）  接続端子部
４３ａ，４３ｂ，４３ｃ  リード線
４４，５１，６１，７１，８１，９１，１０１，１１１  連結部
４５  分岐部
４６ａ，４６ｂ，４６ｃ  スナップ
５２，９２  溝
７２  突起
１０２  隙間
【図１】
2008036210.tif 000003
【図２】
2008036210.tif 000004
【図３】
2008036210.tif 000005
【図４】
2008036210.tif 000006
【図５】
2008036210.tif 000007
【図６】
2008036210.tif 000008
【図７】
2008036210.tif 000009
【図８】
2008036210.tif 000010
【図９】
2008036210.tif 000011
【図１０】
2008036210.tif 000012
【図１１】
2008036210.tif 000013
【図１２】
2008036210.tif 000014
【図１３】
2008036210.tif 000015
【図１４】
2008036210.tif 000016
【図１５】
2008036210.tif 000017
【図１６】
2008036210.tif 000018
【図１７】
2008036210.tif 000019
【図１８】
2008036210.tif 000020
【図１９】
2008036210.tif 000021
【図２０】
2008036210.tif 000022
【図２１】
2008036210.tif 000023
【図２２】
2008036210.tif 000024
【図２３】
2008036210.tif 000025
【図２４】
2008036210.tif 000026
【図２５】
2008036210.tif 000027
【図２６】
2008036210.tif 000028
【図２７】
2008036210.tif 000029